(57)【特許請求の範囲】
【請求項１】
端面電極(1A)にスポット溶接してなるリード板(4)を介して接続されてなる互いに平行に配設されている複数の電池(1)と、複数の電池(1)を挿入して定位置に配置する複数の挿入筒部(3)を絶縁材で一体的に成形している電池ホルダ(2)とを備えており、
リード板(4)は、端面電極(1A)にスポット溶接される溶接点(7)の間に折曲部(8)を有し、電池ホルダ(2)は、挿入筒部(3)の開口端縁に位置して、リード板(4)の複数点を嵌着して両側から支持して定位置に配置する嵌着凹部(6)を設けており、電池ホルダ(2)の挿入筒部(3)に挿入されて定位置に配置される電池(1)の端面電極(1A)に、複数の嵌着凹部(6)に案内されて定位置に配置されるリード板(4)がスポット溶接されてなる組電池。
【請求項２】
前記電池ホルダ(2)が、電池(1)の中間で２分割された第１の電池ホルダ(2A)と第２の電池ホルダ(2B)からなり、電池(1)の半分を第１の電池ホルダ(2A)の挿入筒部(3)に挿入して、電池(1)の他の半分を第２の電池ホルダ(2B)の挿入筒部(3)に挿入している請求項１に記載される組電池。
【請求項３】
前記リード板(4)が、電池(1)の端面から側面に沿う方向に直角に折曲されてなる折曲片(4A)を有する請求項１に記載される組電池。
【請求項４】
前記リード板(4)が、電池(1)の端面電極(1A)にスポット溶接される複数の溶接点(7)を有すると共に、中間の溶接点(7)を折曲部(8)としており、溶接点(7)である折曲部(8)の両端部を嵌着凹部(6)に案内している請求項１又は３に記載される組電池。
【請求項５】
電池ホルダ(2)の挿入筒部(3)に電池(1)が挿入され、かつこの電池(1)がリード板(4)で接続されてなる電池組立(10)と、この電池組立(10)を収納している防水構造のインナーケース(20)と、このインナーケース(20)を収納しているアウターケース(30)とを備える請求項１に記載される組電池。
【請求項６】
前記インナーケース(20)が、プラスチック製の第１ケース(21)及び第２ケース(22)からなり、第１ケース(21)と第２ケース(22)との接続部が、Ｏリング(23)を挟着して超音波溶着されてなる請求項５に記載される組電池。
【発明の詳細な説明】
【技術分野】
【０００１】
本発明は、複数の電池をリード板で接続している組電池に関する。
【背景技術】
【０００２】
複数の電池をリード板で接続してなる組電池は、直列に接続する電池の個数で出力電圧を、並列に接続する個数で電流容量を調整できる。この組電池は、治具で電池を定位置に保持し、さらにこの状態でリード板も定位置に保持して、リード板を電池の端面電極にスポット溶接して製造される。この構造の組電池は、電池とリード板を定位置に配置してリード板をスポット溶接するので製造に手間がかかる欠点がある。組み立てに電池を定位置に保持する治具を使用する欠点は、電池ホルダで電池を定位置に配置する構造で解消できるが、この構造の組電池は開発されている。（特許文献１及び２参照）
【特許文献１】特開２００２−１５１０２７号公報
【特許文献２】特開２００７−１５７３５８号公報
【発明の開示】
【発明が解決しようとする課題】
【０００３】
電池ホルダを備える組電池は、治具を使用することなく、電池を定位置に配置できる。しかしながら、この構造の組電池は、リード板を正確な位置に配置することが難しいことから、リード板を電池の正確な位置にスポット溶接するのに手間がかかる欠点がある。リード板は、電池の正確な位置に配置してスポット溶接する必要がある。このため、電池を定位置に配置できても、リード板を定位置に配置できない構造では、リード板を電池の正確な位置にスポット溶接するのが難しい。とくに、リード板は、溶接電極を押しつけて電池にスポット溶接されることから、溶接電極に押されて位置がずれやすく、位置ずれすると電池の正確な位置に固定できなくなる。この弊害は、リード板を定位置に配置して解消できるが、リード板は薄い金属板であるから、これを挟着する等の方法で定位置に保持するのが難しい。また、仮にリード板を挟着して定位置に保持すると、この保持機構がスポット溶接の邪魔になる欠点がある。このため、リード板を位置ずれしないように確実に保持しながら、能率よくスポット溶接して電池に接続するのが難しい。
【０００４】
本発明は、従来のこのような欠点を解決することを目的に開発されたものである。本発明の重要な目的は、電池とリード板の両方を、治具を使用することなく正確な位置にずれないように配置して、リード板を電池の正確な位置に確実にスポット溶接して、簡単かつ容易に、しかも安価に多量生産できる組電池を提供することにある。
【課題を解決するための手段】
【０００５】
本発明の組電池は、前述の目的を達成するために以下の構成を備える。
組電池は、端面電極１Ａにスポット溶接してなるリード板４を介して接続されてなる互いに平行に配設されている複数の電池１と、複数の電池１を挿入して定位置に配置する複数の挿入筒部３を絶縁材で一体的に成形している電池ホルダ２とを備える。リード板４は、端面電極１Ａにスポット溶接される溶接点７の間に折曲部８を有する。電池ホルダ２は、挿入筒部３の開口端縁に位置して、リード板４の複数点を嵌着して両側から支持して定位置に配置する嵌着凹部６を設けている。組電池は、電池ホルダ２の挿入筒部３に挿入されて定位置に配置される電池１の端面電極１Ａに、複数の嵌着凹部６に案内されて定位置に配置されるリード板４をスポット溶接している。
【０００６】
本発明の請求項２の組電池は、電池ホルダ２が、電池１の中間で２分割された第１の電池ホルダ２Ａと第２の電池ホルダ２Ｂからなり、電池１の半分を第１の電池ホルダ２Ａの挿入筒部３に挿入して、電池１の他の半分を第２の電池ホルダ２Ｂの挿入筒部３に挿入している。
【０００７】
本発明の請求項３の組電池は、リード板４が、電池１の端面から側面に沿う方向に直角に折曲されてなる折曲片４Ａを有する。
【０００８】
本発明の請求項４の組電池は、リード板４が、電池１の端面電極１Ａにスポット溶接される複数の溶接点７を有すると共に、中間の溶接点７を折曲部８としており、溶接点７である折曲部８の両端部を嵌着凹部６に案内している。
【０００９】
本発明の請求項５の組電池は、電池ホルダ２の挿入筒部３に電池１を挿入して、この電池１をリード板４で接続してなる電池組立１０と、この電池組立１０を収納している防水構造のインナーケース２０と、このインナーケース２０を収納しているアウターケース３０とを備えている。
【００１０】
本発明の請求項６の組電池は、インナーケース２０が、プラスチック製の第１ケース２１及び第２ケース２２からなり、第１ケース２１と第２ケース２２との接続部を、Ｏリング２３を挟着して超音波溶着している。
【発明の効果】
【００１１】
本発明の組電池は、電池とリード板の両方を治具を使用することなく正確な位置に配置して、リード板を電池の正確な位置にスポット溶接できる。また、本発明の組電池は、電池とリード板の両方を定位置に保持してスポット溶接できることから、簡単かつ容易に、しかも安価に多量生産できる特徴も実現される。それは、本発明の組電池が、複数の電池を電池ホルダに設けている複数の挿入筒部に入れて定位置に配置すると共に、リード板には、電池にスポット溶接される溶接点の間に折曲部を設け、さらに電池ホルダには、挿入筒部の開口端縁に、リード板の複数点を嵌着して両側から支持する嵌着凹部を設けて、リード板を複数の嵌着凹部に案内して定位置に配置して、溶接点をスポット溶接しているからである。
【００１２】
さらに、本発明の組電池は、特定の電池が熱暴走しても、隣の電池に熱暴走が誘発するのを防止できる特徴もある。それは、電池ホルダの挿入筒部に電池を入れて定位置に配置しているからである。この構造の組電池は、挿入筒部によって、隣接する電池の間に電池ホルダの隔壁ができ、隔壁が熱暴走の誘発を防止する。
【００１３】
さらに、本発明の請求項２の組電池は、電池ホルダが、電池の中間で２分割された第１の電池ホルダと第２の電池ホルダからなり、電池の半分を第１の電池ホルダの挿入筒部に挿入して、電池の他の半分を第２の電池ホルダの挿入筒部に挿入している。この構造の組電池は、電池の両端部に第１の電池ホルダと第２の電池ホルダを連結して、電池を介して第１の電池ホルダと第２の電池ホルダを連結でき、さらに、電池ホルダに入れた電池にリード板をスポット溶接して、電池と第１の電池ホルダと第２の電池ホルダとリード板とを外れない一体構造の電池組立にできる。
【００１４】
また、本発明の請求項３の組電池は、リード板が、電池の端面から側面に沿う方向に直角に折曲されてなる折曲片を有しているので、この折曲片を電池の側面に配設して、リード板の位置ずれを阻止できる。したがって、この組電池は、折曲部のあるリード板を複数の嵌着凹部に入れて定位置に配置し、さらに折曲片で定位置に配置して、リード板の位置ずれを確実に阻止しながら、簡単かつ正確に溶接点を電池にスポット溶接できる。
【００１５】
さらに、本発明の請求項４の組電池は、リード板が、電池の端面電極にスポット溶接される複数の溶接点を有すると共に、リード板の中間の溶接点を折曲部として、溶接点である折曲部の両端部を嵌着凹部に案内している。この組電池は、リード板の中間の溶接点である折曲部の両端部を嵌着凹部に入れて、位置リード板をずれしないように定位置に配置できる。
【００１６】
さらにまた、本発明の請求項５の組電池は、電池ホルダの挿入筒部に電池が挿入され、かつこの電池がリード板で接続されてなる電池組立と、この電池組立を収納しているインナーケースと、このインナーケースを収納している防水構造のアウターケースとを備える。この構造は、電池組立をインナーケースとアウターケースの二重ケースに収納し、さらにインナーケースを防水構造とするので、電池を理想的な防水状態でケースの内部に収納できる。とくに、本発明の請求項６の組電池は、インナーケースを、プラスチック製の第１ケース及び第２ケースで構成して、第１ケースと第２ケースとの接続部には、Ｏリングを挟着して超音波溶着する構造としているので、第１ケースと第２ケースとを完全な防水構造にできる。
【発明を実施するための最良の形態】
【００１７】
以下、本発明の実施例を図面に基づいて説明する。ただし、以下に示す実施例は、本発明の技術思想を具体化するための組電池を例示するものであって、本発明は組電池を以下のものに特定しない。
【００１８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１と図２に示す組電池は、図３ないし図８に示すように、電池ホルダ２の挿入筒部３に電池１を挿入して、電池両端の端面電極１Ａにリード板４を接続して電池組立１０としている。この電池組立１０は、防水構造のインナーケース２０に収納され、さらに、インナーケース２０はアウターケース３０に収納されている。
【００２０】
電池組立１０は、端面電極１Ａにスポット溶接してなるリード板４を介して接続されて、互いに平行に配設されている複数の電池１と、複数の電池１を挿入して定位置に配置する複数の挿入筒部３を絶縁材で一体的に成形している電池ホルダ２とを備えている。
【００２１】
電池１は、リチウムイオン電池からなる円筒形電池である。ただし、電池には、ニッケル水素電池やニッケルカドミウム電池などの充電できる電池が使用できる。さらに、電池には、円筒形電池に代わって角形電池も使用できる。図の電池組立１０は、６本の電池１を、両端が同一面に配置されるように平行な姿勢に配置して電池ブロック１１とし、２組の電池ブロック１１を、電池１が直線状に並ぶように縦に連結している。第１の電池ブロック１１Ａと第２の電池ブロック１１Ｂを直線状に連結している電池組立１０は、第１の電池ブロック１１Ａの端面に回路基板５を配設している。
【００２２】
図３ないし図５は、第１の電池ブロック１１Ａの斜視図と分解斜視図と組み立て図を示し、図６ないし図８は、第２の電池ブロック１１Ｂの斜視図と分解図と組み立て図を示している。以上の電池組立１０は、１２本の電池１を並列と直列に接続している。図の電池組立１０は、図４と図７に示すように、３本の電池１を並列に接続して３並列電池５１、５２、５３、５４とし、４組の３並列電池５１、５２、５３、５４を直列に接続している。すなわち、図の組電池１０は、３本の電池１を並列、４本の電池１を直列に接続している。１組の電池ブロック１１は、３本の電池１を同一平面に並列な姿勢に並べて、これを２段に配置している。上段の電池１は下段の電池１の谷間に、また、下段の電池１は上段の電池１の谷間に配設している。すなわち、上下の電池１を俵積み状態に配置している。この電池ブロック１１は、電池１の間にできる無駄なスペースを少なくして、外形をコンパクトにできる。ただ、図示しないが、電池ブロックは、電池を縦横の碁盤格子状に配列することもできる。
【００２３】
電池ホルダ２は、各々の電池１を挿入して定位置に配置する挿入筒部３を有する形状に絶縁材のプラスチックを成形して製作される。図の電池ホルダ２は、電池１の中間で２分割された第１の電池ホルダ２Ａと第２の電池ホルダ２Ｂとで構成している。この電池ホルダ２は、電池１の半分を第１の電池ホルダ２Ａの挿入筒部３に、電池１の他の半分を第２の電池ホルダ２Ｂの挿入筒部３に挿入して、電池１を定位置に配置する。ただ、図示しないが、電池ホルダは、図において第１の電池ホルダと第２の電池ホルダをプラスチックで一体的に成形して製作することもできる。
【００２４】
電池ホルダ２の挿入筒部３は、電池１を挿入して定位置に配置できるように、内形を電池１の外形にほぼ等しい形状としている。円筒形電池を挿入する挿入筒部３は、内径を電池１の外形よりも０．１ｍｍないし０．５ｍｍ大きい円柱状に成形している。さらに、挿入筒部３は、電池１の全体を挿入できる長さに成形している。図の電池ホルダ２は、６本の電池１を挿入筒部３に入れて連結するので、６個の挿入筒部３を一体的に連結する形状に成形している。挿入筒部３は、図４と図７に示すように両端を開口している。ただ、図４と図７に示すように、第１の電池ホルダ２Ａと第２の電池ホルダ２Ｂに分割して成形される電池ホルダ２は、挿入筒部３の一端に、電池１が抜けるのを阻止するストッパ１２を設けている。このストッパ１２は、挿入筒部３の電池１の端部側であってリード板４を連結する側の開口端に設けられる。このストッパ１２は、挿入筒部３の内側方向に突出して、電池１が抜けるのを防止する。挿入筒部３にストッパ１２を設けている電池ホルダ２は、挿入筒部３に電池１を挿入し、電池１にリード板４をスポット溶接する状態で、電池１を両方向に抜けないようにできる。
【００２５】
図示しないが、第１の電池ホルダと第２の電池ホルダに分割しないで、全体を一体的に成形する電池ホルダは、両端を開口してストッパを設けず、または一端にのみストッパを設ける。この電池ホルダは、電池にリード板をスポット溶接して連結する状態で、電池を電池ホルダから抜けない一体構造にできる。
【００２６】
さらに、図４と図７に示す電池ホルダ２は、挿入筒部３の一部に、リード板４の折曲片４Ａを案内する切除部１３を設けている。この電池ホルダ２は、切除部１３にリード板４の折曲片４Ａを案内できるので、折曲片４Ａが挿入筒部３の表面から突出せず、電池組立１０の外形を小さくできる。
【００２７】
電池ホルダ２は、電池１とリード板４の両方を定位置に配置する。電池１は、挿入筒部３に入れて定位置に配置される。リード板４を定位置に配置するために、電池ホルダ２は、図５と図８の拡大斜視図に示すように、挿入筒部３の開口端縁に位置して、リード板４の複数点を嵌着して両側から支持して定位置に配置する嵌着凹部６を設けている。嵌着凹部６は、リード板４を嵌着できる溝形で、その幅をリード板４の幅よりもわずかに広く、正確にはリード板４の幅よりも０．１ｍｍ〜１ｍｍ広くしている。さらに、この嵌着凹部６の深さは、リード板４の厚さ以上であって、ここにリード板４を入れて挿入筒部３の端面から突出しないようにしている。図５と図８の嵌着凹部６は、所定の長さを有し、ここにリード板４を入れて、リード板４を含む水平面でリード板４が傾動しないように保持している。嵌着凹部６は、隣接して配設される挿入筒部３の境界に設けられる。隣接して配設される電池１の端面電極１Ａにスポット溶接されるリード板４を案内して、定位置に配置するからである。
【００２８】
リード板４は、電池１の端面電極１Ａにスポット溶接される溶接点７の間に正面視折れ曲がる形状をなす折曲部８を設けた形状として、その複数カ所を嵌着凹部６に入れて定位置に配置される。図のリード板４は、中間の溶接点７を折曲部８とし、さらに溶接点７である折曲部８の両端部の２カ所を嵌着凹部６に入れて定位置に配置している。図の電池組立１０は、３本の電池１の端面電極１Ａにリード板４をスポット溶接していることから、リード板４には３点の溶接点７を設けている。図のリード板４は、両端と中間の３点を溶接点７として、中間の溶接点７を折曲部８としている。したがって、中間の溶接点７の両端部、すなわち中間の溶接点７とその両端の溶接点７との間を、電池ホルダ２の嵌着凹部６に案内している。以上のリード板４は、３個の電池１にスポット溶接されることから、３点の溶接点７を設けているが、リード板４の溶接点７の数は、スポット溶接される電池１の個数で特定される。したがって、リード板は、必ずしも３点の溶接点を設けた形状ではなく、たとえば、２本の電池にスポット溶接されるリード板は２点の溶接点を、４本以上の電池にスポット溶接されるリード板は４点以上の溶接点を設ける。
【００２９】
さらに、図のリード板４は、電池１の端面から側面に沿う方向に直角に折曲されてなる折曲片４Ａを設けている。折曲片４Ａは、電池１の側面に配設されて、リード板４の位置ずれを阻止する。したがって、折曲部８のあるリード板４を複数の嵌着凹部６に入れて定位置に配置し、さらに折曲片４Ａで定位置に配置するリード板４は、位置ずれを確実に阻止して、溶接点７を正確に電池１の端面電極１Ａに配置して、簡単かつ正確に溶接点７を電池１にスポット溶接できる。
【００３０】
リード板４の折曲片４Ａは、電池ブロック１１を外部に接続する接続端子となる。図の電池組立１０は、折曲片４Ａを互いに接続して第１のブロック１１Ａと第２の電池ブロック１１Ｂを接続し、さらに、折曲片４Ａを回路基板５に接続して、組電池の出力端子（図示せず）に接続し、また、回路基板５に実装している電圧検出回路でもって各々の電池１の電圧を検出する。図３ないし図８に示すリード板４は、端部に折曲片４Ａを設け、あるいは中間に折曲片４Ａを設けて、折曲片４Ａを電池１の側面に配置している。
【００３１】
第１の電池ブロック１１Ａと第２の電池ブロック１１Ｂは、各々、以下のようにして組み立てられる。
（１）第１の電池ホルダ２Ａ、第２の電池ホルダ２Ｂの各々の挿入筒部３に電池１（図４、図７において、電池１の−表示が負極、＋表示が正極となる）を入れて定位置に配置する（図５、図８の状態）。この状態で、リード板４をスポット溶接する一方の端面電極１Ａが上に位置するように、電池１を垂直姿勢に配置する。
（２）電池ホルダ２の嵌着凹部６に、あらかじめ折曲片４Ａが折曲加工されたリード板４を案内して、リード板４を定位置に配置する。
（３）リード板４の溶接点７に溶接電極を押しつけて、溶接点７を電池１の端面電極１Ａにスポット溶接する。
（４）他方の端面電極１Ａが上に位置するように、電池ホルダ２の上下を反転する。
（５）電池ホルダ２の上面の嵌着凹部６にリード板４をセットして、リード板４を定位置に配置する。
（６）リード板４の溶接点７に溶接電極を押しつけて、溶接点７を電池１の端面電極１Ａにスポット溶接する。
【００３２】
以上の状態で、電池１と第１の電池ホルダ２Ａと第２の電池ホルダ２Ｂとリード板４とが一体的に連結されて、第１の電池ブロック１１Ａと第２の電池ブロック１１Ｂが組み立てられる。
【００３３】
以上の第１の電池ブロック１１Ａと第２の電池ブロック１１Ｂは、リード線９を介して接続されて一体的に連結される。また、第１の電池ブロック１１Ａと回路基板５との間に絶縁セパレータ１４を配設する状態で、第１の電池ブロック１１Ａの端面に回路基板５を配設し、回路基板５に接続しているリード線９をリード板４の折曲片４Ａにハンダ付けなどの方法で接続する。回路基板５は、各々の電池１の電圧を検出する電圧検出回路と、この電圧検出回路で検出される電池１の電圧から充電電流や放電電流をコントロールする保護回路を実装している。この状態で、回路基板５と第１の電池ブロック１１Ａと第２の電池ブロック１１Ｂとが互いに直線上に連結されて電池組立１０となる。第１の電池ブロック１１Ａと第２の電池ブロック１１Ｂと回路基板５は、リード線９を介して、以下のように、接続される（図２、図４、図７参照）。
【００３４】
電池ブロック１１を構成する４組の３並列電池５１、５２、５３、５４は、リード板４とリード線９を介して互いに直列に接続されて、マイナス出力とプラス出力が回路基板５に接続される。４組の３並列電池５１、５２、５３、５４は、以下のようにして直列に接続される。電池ブロック１１のマイナス出力として、３並列電池５１のマイナス側に接続されるリード板４の折曲片４Ａａ（図４参照）が、リード線９ａ（図２参照）を介して、回路基板５に電気接続される。さらに、この３並列電池５１のプラス側に接続されるリード板４の折曲片４Ａｂ（図４参照）が、リード線９ｂ（図２参照）を介して、３並列電池５２のマイナス側に接続されるリード板４の折曲片４Ａｃ（図７参照）に接続される。さらに、この３並列電池５２のプラス側に接続されるリード板４の折曲片４Ａｄ（図７参照）が、電池ブロック１１の下面において、リード線（図示せず）を介して、３並列電池５３のマイナス側に接続されるリード板４の折曲片４Ａｅ（図４参照）に接続される。さらに、この３並列電池５３のプラス側に接続されるリード板４の折曲片４Ａｆ（図７参照）が、リード線９ｃ（図２参照）を介して、３並列電池５４のマイナス側に接続されるリード板４の折曲片４Ａｇ（図７参照）に接続される。さらにまた、この３並列電池５４のプラス側に接続されるリード板４の折曲片４Ａｈ（図７参照）が、リード線９ｄを介して、回路基板５に接続されて、電池ブロック１１のプラス出力となる。
【００３５】
また、各３並列電池５１、５２、５３、５４の電圧を検出するために、リード板４の接続片４Ａがリード線９を介して、以下のように電池接続される。３並列電池５１のプラス側に接続されるリード板４の折曲片４Ａｉ（図４参照）が、リード線９ｅ（図２参照）を介して、回路基板５に接続される。このリード線９ｅを介して、３並列電池５１と３並列電池５２の電池間電圧が回路基板５に出力される。また、３並列電池５３のマイナス側に接続されるリード板４の折曲片４Ａｊ（図４参照）が、リード線９ｆ（図２参照）を介して、回路基板５に接続される。このリード線９ｆを介して、３並列電池５２と３並列電池５３の電池間電圧が回路基板５に出力される。さらにまた、３並列電池５３のプラス側に接続されるリード板４の折曲片４Ａｋ（図４参照）が、リード線９ｇ（図２参照）を介して、回路基板５に接続される。このリード線９ｇを介して、３並列電池５３と３並列電池５４の電池間電圧が回路基板５に出力される。
【００３６】
電池組立１０は、図２に示すように、防水構造のインナーケース２０に収納される。インナーケース２０はプラスチック製で、第１ケース２１と第２ケース２２からなる。第１ケース２１は、底を閉塞して一端を開口している筒状で、内部に電池組立１０を挿入できる内形としている。第２ケース２２は、第１ケース２１の開口部を水密に閉塞して、インナーケース２０を防水構造としている。第２ケース２２と第１ケース２１の接続部は、Ｏリング２３を挟着して超音波溶着して防水構造に連結している。図９は、第１ケース２１と第２ケース２２の接続部の拡大断面図である。この図に示すように、第１ケース２１は、接続端面にＯリング２３を入れる案内溝２４を設けている。この案内溝２４は、Ｏリング２３の外径よりも浅く、Ｏリング２３が第１ケース２１と第２ケース２２の接続面に弾性的に押圧される構造としている。さらに、第１ケース２１は、超音波振動で溶着される溶着凸条２５を設けている。第１ケース２１に第２ケース２２を押圧する状態で、第２ケース２２が超音波振動されると、溶着凸条２５が溶融されて溶着される。したがって、溶着凸条２５は、第１ケース２１と第２ケース２２の接続面を接触させる状態で、突出する高さに成形される。この連結構造は、Ｏリング２３と溶着凸条２５の溶着の両方で確実に防水構造に連結できる。
【００３７】
さらに、図２のインナーケース２０は、第２ケース２２に、出力コード１５を外部に引き出す貫通孔２６を設けている。出力コード１５は、内蔵される電池１の電力を外部に出力する。出力コード１５は、防水構造のブッシュ１６を介して貫通孔２６に挿通される。したがって、インナーケース２０は、出力コード１５を防水構造で外部に引き出しできる。また、出力コード１５を介して、内蔵する電池１を充電することもできる。
【００３８】
さらに、第２ケース２２は、回路基板５に設けている出力のオンオフ操作等を行う操作スイッチ１７を押すための防水押しボタン１８を設けている。防水押しボタン１８は、第２ケース２２に開口された貫通孔２７に防水構造で配設している。図に示す防水押しボタン１８は、貫通孔２７を水密に閉塞するパッキン１８Ａと、このパッキン１８Ａの内側に挿入されるボタン本体１８Ｂと、このボタン本体１８Ｂを定位置に保持する保持部材１８Ｃとを備える。パッキン１８Ａは、一端を開口している筒状であって、円形の貫通孔２７を閉塞する形状とすると共に、中央部には、回路基板５の操作スイッチ１７を押圧する押圧部を設けている。この防水押しボタン１８は、保持部材１８Ｃを介してボタン本体１８Ｂを筒状のパッキン１８Ａの内側の定位置に配置して、貫通孔２７の定位置に防水構造で配設される。
【００３９】
さらに、第２ケース２２は、回路基板５に設けた表示部である複数のＬＥＤ１９の光を外部に透過させる透光窓２８を開口している。この透光窓２８の表面側には、ＬＥＤ１９の光を透過させて外部に案内するライトガイド２９を固定している。ライトガイド２９は、透光窓２８の開口部周辺に接着して固定される。例えば、使用者が操作スイッチ１７を、押圧して、出力をオンした時、またはオフした時、一定時間、電池の残存容量に応じて、複数のＬＥＤ１９を点灯、消灯等をすることにより、電池の残存容量を使用者は知ることができる。
【００４０】
アウターケース３０は、プラスチック製で、図１に示すように、全体を縦方向に２分割してなる第１ケース３１と第２ケース３２からなる。アウターケース３０は、第１ケース３１と第２ケース３２を連結する状態で、インナーケース２０を内部に収納している。このアウターケース３０は、縦方向に２分割しているので、分割ラインがインナーケース２０の長手方向となる。第１ケース３１と第２ケース３２は、周壁３４を一体的に成形して設けており、互いの周壁３４の開口縁を隙間なく密着させて連結している。第１ケース３１は、周壁３４の開口縁に沿って凸条３５を設けており、第２ケース３２は、周壁３４の開口縁に沿って、この凸条３５を案内する連結溝３６を設けている。第１ケース３１と第２ケース３２は、この凸条３５を連結溝３６に案内して隙間なく連結している。
【００４１】
さらに、図に示すアウターケース３０は、一方の端面であって、インナーケース２０に設けた防水押しボタン１８とライトガイド２９と対向する端面にカバーケース３３を連結して固定している。このカバーケース３３は、互いに連結された第１ケース３１と第２ケース３２の端面をカバーすると共に、これらが分離するのを防止する。図の第１ケース３１と第２ケース３２は、端面の外周に沿って、位置決めリブ３７を突出して設けており、カバーケース３３は、この位置決めリブ３７を嵌入する嵌合部（図示せず）を外周縁に沿って設けている。カバーケース３３は、この嵌合部に位置決めリブ３７を案内する状態で、第１ケース３１と第２ケース３２に連結されて、第１ケース３１と第２ケース３２が分離するのを防止している。このカバーケース３３は、第１ケース３１と第２ケース３２の端面に係止構造で連結している。カバーケース３３は、内側に突出する複数の係止片３８、３８、３８（図示せず）を備えており、第１ケース３１と第２ケース３２は、これらの係止片３８を挿入する複数の係止孔３９、３９、３９を端面に開口している。カバーケース３３は、係止片３８の先端部に係止フック（図示せず）を設けており、この係止片３８を係止孔３９に挿入して、係止構造で抜けないように第１ケース３１と第２ケース３２に連結している。
【００４２】
さらに、図１のアウターケース３０は、出力コード１５を外部に引き出す開口窓４１を設けている。アウターケース３０は、第１ケース３１と第２ケース３２の連結部に開口窓４１を設けており、互いの開口窓４１でコードブッシュ４０を挟着して、出力コード１５をアウターケース３０から外部に引き出している。
【００４３】
さらに、アウターケース３０は、インナーケース２０の防水押しボタン１８とライトガイド２９を外部に表出させる操作窓４２と表示窓４３を設けている。図のアウターケース３０は、第１ケース３１の一方の端面とカバーケース３３とに操作窓４２と表示窓４３とを開口して設けている。アウターケース３０は、インナーケース３０の端面に設けた防水押しボタン１８を、第１ケース３１の操作窓４２とカバーケース３３の操作窓４２とに通過させて外部に表出しており、操作スイッチ１７を外部から操作できるようにしている。また、アウターケース３０は、インナーケース３０の端面に設けたライトガイド２９を、第１ケース３１の表示窓４３とカバーケース３３の表示窓４３とに通過させて外部に表出しており、ＬＥＤ１９の光を外部に放射して表示できるようにしている。
【００４４】
さらに、図のアウターケース３０は、カバーケース３３が連結される端面と反対側の端面にラベル４４を付着している。このラベル４４によって、第１ケース３１と第２ケース３２がこの端面側で分離するのを阻止している。
【図面の簡単な説明】
【００４５】
【図１】本発明の一実施例にかかる組電池の分解斜視図である。
【図２】図１に示す組電池のインナーケースの分解斜視図である。
【図３】第１の電池ブロックの斜視図である。
【図４】図３に示す第１の電池ブロックの分解斜視図である。
【図５】図４に示す第１の電池ブロックの組み立て図である。
【図６】第２の電池ブロックの斜視図である。
【図７】図６に示す第２の電池ブロックの分解斜視図である。
【図８】図７に示す第２の電池ブロックの組み立て図である。
【図９】インナーケースの第１ケースと第２ケースの接続部を示す拡大断面図である。
【符号の説明】
【００４６】
１…電池                    １Ａ…端面電極
２…電池ホルダ              ２Ａ…第１の電池ホルダ
２Ｂ…第２の電池ホルダ
３…挿入筒部
４…リード板                ４Ａ…折曲片
４Ａａ…折曲片
４Ａｂ…折曲片
４Ａｃ…折曲片
４Ａｄ…折曲片
４Ａｅ…折曲片
４Ａｆ…折曲片
４Ａｇ…折曲片
４Ａｈ…折曲片
４Ａｉ…折曲片
４Ａｊ…折曲片
４Ａｋ…折曲片
５…回路基板
６…嵌着凹部
７…溶接点
８…折曲部
９…リード線                ９ａ…リード線
９ｂ…リード線
９ｃ…リード線
９ｄ…リード線
９ｅ…リード線
９ｆ…リード線
９ｇ…リード線
１０…電池組立
１１…電池ブロック          １１Ａ…第１の電池ブロック
１１Ｂ…第２の電池ブロック
１２…ストッパ
１３…切除部
１４…絶縁セパレータ
１５…出力コード
１６…ブッシュ
１７…操作スイッチ
１８…防水押しボタン        １８Ａ…パッキン
１８Ｂ…ボタン本体
１８Ｃ…保持部材
１９…ＬＥＤ
２０…インナーケース
２１…第１ケース
２２…第２ケース
２３…Ｏリング
２４…案内溝
２５…溶着凸条
２６…貫通孔
２７…貫通孔
２８…透光窓
２９…ライトガイド
３０…アウターケース
３１…第１ケース
３２…第２ケース
３３…カバーケース
３４…周壁
３５…凸条
３６…連結溝
３７…位置決めリブ
３８…係止片
３９…係止孔
４０…コードブッシュ
４１…開口窓
４２…操作窓
４３…表示窓
４４…ラベル
５１…３並列電池
５２…３並列電池
５３…３並列電池
５４…３並列電池
【図１】
0005241182.tif 000002
【図２】
0005241182.tif 000003
【図３】
0005241182.tif 000004
【図４】
0005241182.tif 000005
【図５】
0005241182.tif 000006
【図６】
0005241182.tif 000007
【図７】
0005241182.tif 000008
【図８】
0005241182.tif 000009
【図９】
0005241182.tif 000010